(57)【要約】【課題】  映像信号の他にモード選択信号や同期信号を入力することなく、その映像信号の形式に適する符号化方式を選択して符号化することができる画像符号化伝送装置を得ることを目的とする。【解決手段】  映像受信部２により受信された映像信号を監視し、その映像信号の形式を判別する形式判定部３と、その形式判定部３により判別された形式に対応する符号化方式を選択する制御部４とを設け、その制御部４により選択された符号化方式で映像信号を符号化するように構成する。【選択図】        図１
2005204054.tif 000002
【特許請求の範囲】
【請求項１】
映像信号を受信する映像信号受信手段と、上記映像信号受信手段により受信された映像信号を監視し、その映像信号の形式を判別する形式判別手段と、上記形式判別手段により判別された形式に対応する符号化方式を選択する選択手段と、上記選択手段により選択された符号化方式で上記映像信号を符号化する映像符号化手段と、上記映像符号化手段により符号化された映像信号を多重化して伝送する伝送手段とを備えた画像符号化伝送装置。
【請求項２】
映像信号を受信し、その映像信号を受信バッファに格納する映像信号受信手段と、上記映像信号受信手段により受信された映像信号を監視し、その映像信号の形式を判別する形式判別手段と、上記形式判別手段により判別された形式に対応する符号化方式を選択する選択手段と、上記選択手段により選択された符号化方式で、上記受信バッファに格納されている映像信号を符号化する映像符号化手段と、上記映像符号化手段により符号化された映像信号を多重化して伝送する伝送手段とを備えた画像符号化伝送装置。
【請求項３】
選択手段が形式判別手段により判別された形式に対応する多重化方式を選択し、伝送手段が上記選択手段により選択された多重化方式で映像信号を多重化することを特徴とする請求項１または請求項２記載の画像符号化伝送装置。
【請求項４】
選択手段が形式判別手段により判別された形式に対応する伝送方式を選択し、伝送手段が上記選択手段により選択された伝送方式で映像信号を伝送することを特徴とする請求項１から請求項３のうちのいずれか１項記載の画像符号化伝送装置。
【請求項５】
選択手段は、形式判別手段により判別された形式の切替りを検知すると、映像符号化手段及び伝送手段の処理を一時的に停止させたのち、その映像符号化手段及び伝送手段の処理を再開させることを特徴とする請求項１記載の画像符号化伝送装置。
【請求項６】
選択手段は、形式判別手段により判別された形式の切替りを検知すると、映像信号受信手段における受信バッファに対する映像信号の格納処理を一時的に停止させたのち、その映像信号受信手段の格納処理を再開させることを特徴とする請求項２記載の画像符号化伝送装置。
【請求項７】
映像信号受信手段により受信された映像信号に同期しているクロックを生成して、そのクロックを映像符号化手段及び伝送手段に供給するクロック生成手段を設け、そのクロック生成手段が形式判別手段により判別された形式の切替りを検知すると、その形式が切替る直前に生成したクロックと同じ周波数のクロックを一時的に継続して供給することを特徴とする請求項６記載の画像符号化伝送装置。
【発明の詳細な説明】
【技術分野】
【０００１】
この発明は、映像信号を符号化して伝送する画像符号化伝送装置に関するものである。
【背景技術】
【０００２】
従来の画像符号化伝送装置は、ハイビジョン用の映像信号であるＨＤＴＶ（Ｈｉｇｈ  Ｄｅｆｉｎｉｔｉｏｎ  Ｔｅｌｅｖｉｓｉｏｎ）のデジタルシリアル信号を入力する入力端子と、標準表示用の映像信号であるＳＤＴＶ（Ｓｔａｎｄａｒｄ  Ｄｅｆｉｎｉｔｉｏｎ  Ｔｅｌｅｖｉｓｉｏｎ）のデジタルシリアル信号を入力する入力端子と、映像信号の符号化方式を指定するモード選択信号を入力する入力端子とを設け、いずれかの入力端子からＨＤＴＶ又はＳＤＴＶのデジタルシリアル信号を入力すると、そのモード選択信号に応じて符号化方式を選択し、その符号化方式でＨＤＴＶ又はＳＤＴＶのデジタルシリアル信号を符号化して伝送する（例えば、特許文献１参照）。
【０００３】
また、他の画像符号化伝送装置は、映像信号を入力する入力端子と、その映像信号に付随する同期信号を入力する入力端子とを設け、入力端子から映像信号を入力すると、その同期信号の周期に基づいて当該映像信号の形式を判別して符号化方式を選択し、その符号化方式で映像信号を符号化して伝送する（例えば、特許文献２参照）。
【０００４】
【特許文献１】特開平１０−２１０４７８号公報（段落番号［００２８］から［００５０］、図１）
【特許文献２】特開平６−３１５１４２号公報（段落番号［００１０］から［００１７］、図１）
【発明の開示】
【発明が解決しようとする課題】
【０００５】
従来の画像符号化伝送装置は以上のように構成されているので、映像信号の形式に適する符号化方式を自動的に選択して、その映像信号を符号化することができる。しかし、映像信号を入力する入力端子の他に、モード選択信号や同期信号を入力する入力端子を設ける必要がある課題があった。
また、画像符号化伝送装置に映像信号を供給する外部装置においては、モード選択信号や同期信号を生成する必要がある課題があった。
【０００６】
この発明は上記のような課題を解決するためになされたもので、映像信号の他にモード選択信号や同期信号を入力することなく、その映像信号の形式に適する符号化方式を選択して符号化することができる画像符号化伝送装置を得ることを目的とする。
【課題を解決するための手段】
【０００７】
この発明に係る画像符号化伝送装置は、映像信号受信手段により受信された映像信号を監視し、その映像信号の形式を判別する形式判別手段と、その形式判別手段により判別された形式に対応する符号化方式を選択する選択手段とを設け、その選択手段により選択された符号化方式で映像信号を符号化するようにしたものである。
【発明の効果】
【０００８】
この発明によれば、映像信号受信手段により受信された映像信号を監視し、その映像信号の形式を判別する形式判別手段と、その形式判別手段により判別された形式に対応する符号化方式を選択する選択手段とを設け、その選択手段により選択された符号化方式で映像信号を符号化するように構成したので、映像信号の他にモード選択信号や同期信号を入力することなく、その映像信号の形式に適する符号化方式を選択して符号化することができる効果がある。
【発明を実施するための最良の形態】
【０００９】
実施の形態１．
図１はこの発明の実施の形態１による画像符号化伝送装置を示す構成図であり、図において、映像入力端子１はＨＤＴＶ又はＳＤＴＶのデジタルシリアル信号（映像信号）を入力する端子である。
映像受信部２は映像入力端子１から入力されたＨＤＴＶ又はＳＤＴＶのデジタルシリアル信号を受信するレシーバーを搭載しており、そのデジタルシリアル信号に含まれている映像データと音声データを映像符号化部５に出力し、そのデジタルシリアル信号に含まれているクロックを映像符号化部５，システム多重部６及び伝送路変換部７に供給する。なお、言うまでもないが、映像受信部２が搭載しているレシーバーは、映像入力端子１から入力されたデジタルシリアル信号が、ＨＤＴＶのデジタルシリアル信号であっても、ＳＤＴＶのデジタルシリアル信号であっても対応可能なものである。映像受信部２は映像信号受信手段を構成している。
【００１０】
形式判定部３は映像受信部２により受信されたＨＤＴＶ又はＳＤＴＶのデジタルシリアル信号を監視し、そのデジタルシリアル信号の形式を判別する形式判別手段を構成している。
制御部４は形式判定部３により判別された形式に対応する符号化方式，多重化方式及び伝送方式を選択する選択手段を構成している。
映像符号化部５は制御部４により選択された符号化方式で、映像受信部２から出力された映像データと音声データを符号化して、その符号化データをシステム多重部６に出力する。なお、映像符号化部５は映像符号化手段を構成している。
【００１１】
システム多重部６は制御部４により選択された多重化方式で、映像符号化部５から出力された符号化データをＴＳ（Ｔｒａｎｓｐｏｒｔ  Ｓｔｒｅａｍ）化し、そのＴＳデータを伝送路変換部７に出力する。伝送路変換部７は制御部４により選択された伝送方式で、システム多重部６から出力されたＴＳデータを出力端子８に出力する。なお、システム多重部６及び伝送路変換部７から伝送手段が構成されている。
出力端子８は伝送路変換部７から出力されたＴＳデータを外部出力する。
【００１２】
次に動作について説明する。
まず、外部装置からＨＤＴＶ又はＳＤＴＶのデジタルシリアル信号が映像入力端子１に供給されると、映像受信部２が映像入力端子１から入力されたＨＤＴＶ又はＳＤＴＶのデジタルシリアル信号を受信する。
映像受信部２は、そのＨＤＴＶ又はＳＤＴＶのデジタルシリアル信号を形式判定部３に出力する一方、そのデジタルシリアル信号に含まれている映像データ及び音声データとクロックを分離し、その映像データ及び音声データを映像符号化部５に出力する。また、そのクロックを映像符号化部５，システム多重部６及び伝送路変換部７に供給する。
【００１３】
形式判定部３は、映像受信部２により受信されたＨＤＴＶ又はＳＤＴＶのデジタルシリアル信号を監視し、そのデジタルシリアル信号の形式を判別する。
具体的には、形式判定部３は、映像受信部２から出力されたデジタルシリアル信号の周波数を検知し、その周波数が約１．５ＧＨｚであれば、そのデジタルシリアル信号の形式がＨＤＴＶであると認識し、その周波数が約２７０ＭＨｚであれば、そのデジタルシリアル信号の形式がＳＤＴＶであると認識する。
【００１４】
形式判定部３は、上記のようにしてデジタルシリアル信号の形式を特定すると、そのデジタルシリアル信号のフィールド周波数を特定する。
即ち、形式判定部３は、内部クロックを利用して、そのデジタルシリアル信号の１フレーム分のデータ数をカウントすることにより、１フレームの周波数を計測する。
通常は、形式判定部３により計測されるフィールド周波数である１フレームの周波数は、５９Ｈｚ、または、６０Ｈｚとなる。
【００１５】
この実施の形態１では、形式判定部３が映像受信部２から出力されたデジタルシリアル信号の周波数を検知して、デジタルシリアル信号の形式がＨＤＴＶであるのか、ＳＤＴＶであるのかを認識するとともに、そのデジタルシリアル信号のフィールド周波数を特定するものについて示したが、映像受信部２に搭載されているレシーバーがデジタルシリアル信号の形式の識別機能を有している場合、その映像受信部２のレシーバーが形式の識別結果を形式判定部３に送信するようにしてもよい。
また、映像受信部２のレシーバーがデジタルシリアル信号に含まれている水平同期信号を形式判定部３に出力するようにすれば、形式判定部３が内部クロックを利用して、デジタルシリアル信号の１フレーム分のデータ数をカウントしなくても、その水平同期信号から１フレームの周波数を計測することができる。
【００１６】
制御部４は、形式判定部３がデジタルシリアル信号の形式とフィールド周波数を特定すると、そのデジタルシリアル信号の形式とフィールド周波数に応じて符号化方式を選択する。
具体的には、制御部４は、デジタルシリアル信号の形式がＨＤＴＶであって、フィールド周波数が５９Ｈｚであれば、符号化方式として、例えばＭＰ＠ＨＬを選択し、かつ、１秒間のフレーム数を２９．９７枚として符号化処理を行うものとする。フィールド周波数が６０Ｈｚであれば、符号化方式として、例えばＭＰ＠ＨＬを選択し、かつ、１秒間のフレーム数を３０枚として符号化処理を行うものとする。
また、デジタルシリアル信号の形式がＳＤＴＶであって、フィールド周波数が５９Ｈｚであれば、符号化方式として、例えばＭＰ＠ＭＬを選択し、かつ、１秒間のフレーム数を２９．９７枚として符号化処理を行うものとする。フィールド周波数が６０Ｈｚであれば、符号化方式として、例えばＭＰ＠ＭＬを選択し、かつ、１秒間のフレーム数を３０枚として符号化処理を行うものとする。
【００１７】
次に、制御部４は、形式判定部３により判別されたデジタルシリアル信号の形式に対応する多重化方式を選択する。
具体的には、制御部４は、そのデジタルシリアル信号の形式がＨＤＴＶであれば、多重化方式として、例えば、映像データの伝送レートを４０ＭＨｚに設定し、音声データの伝送レートを１．５ＭＨｚに設定する。
また、そのデジタルシリアル信号の形式がＳＤＴＶであれば、多重化方式として、例えば、映像データの伝送レートを２０ＭＨｚに設定し、音声データの伝送レートを５１２ＫＨｚに設定する。
【００１８】
次に、制御部４は、形式判定部３により判別されたデジタルシリアル信号の形式に対応する伝送方式を選択する。
具体的には、制御部４は、そのデジタルシリアル信号の形式がＨＤＴＶであれば、伝送方式として、例えば、伝送クロックを５０ＭＨｚに設定し、そのデジタルシリアル信号の形式がＳＤＴＶであれば、伝送方式として、例えば、伝送クロックを２５ＭＨｚに設定する。
【００１９】
映像符号化部５は、映像受信部２からクロックを受けると、そのクロックに同期して、ＭＰＥＧ−２（ＩＳＯ／ＩＥＣ１３８１８−２）規格に沿う符号化処理を開始する。
即ち、映像符号化部５は、制御部４により選択された符号化方式で、映像受信部２から出力された映像データと音声データを符号化し、その符号化データをシステム多重部６に出力する。
【００２０】
システム多重部６は、映像受信部２からクロックを受けると、そのクロックに同期して多重化処理を開始する。
即ち、システム多重部６は、制御部４により選択された多重化方式で、映像符号化部５から出力された符号化データをＴＳ化（多重化）し、そのＴＳデータを伝送路変換部７に出力する。
【００２１】
伝送路変換部７は、映像受信部２からクロックを受けると、そのクロックに同期してＴＳデータの伝送処理を開始する。
即ち、伝送路変換部７は、制御部４により選択された伝送方式で、システム多重部６から出力されたＴＳデータを出力端子８に出力して、そのＴＳデータを外部出力する。
【００２２】
以上で明らかなように、この実施の形態１によれば、映像受信部２により受信された映像信号を監視し、その映像信号の形式を判別する形式判定部３と、その形式判定部３により判別された形式に対応する符号化方式を選択する制御部４とを設け、その制御部４により選択された符号化方式で映像データ及び音声データを符号化するように構成したので、映像信号の他にモード選択信号や同期信号を入力することなく、その映像信号の形式に適する符号化方式を選択して、その映像データ及び音声データを符号化することができる効果を奏する。
【００２３】
また、この実施の形態１によれば、形式判定部３により判別された形式に対応する多重化方式を選択し、その多重化方式で符号化データを多重化するように構成したので、映像信号の他にモード選択信号や同期信号を入力することなく、その映像信号の形式に適する多重化方式を選択して符号化データを多重化することができる効果を奏する。
【００２４】
また、この実施の形態１によれば、形式判定部３により判別された形式に対応する伝送方式を選択し、その伝送方式でＴＳデータを伝送するように構成したので、映像信号の他にモード選択信号や同期信号を入力することなく、その映像信号の形式に適する伝送方式を選択してＴＳデータを伝送することができる効果を奏する。
【００２５】
実施の形態２．
上記実施の形態１では、制御部４が形式判定部３により判別されたデジタルシリアル信号の形式に対応する符号化方式，多重化方式及び伝送方式を選択し、その選択結果を映像符号化部５，システム多重部６及び伝送路変換部７に通知するものについて示したが、そのデジタルシリアル信号の形式の切替直後は、映像受信部２の動作が安定しないため、切替直後においても、映像符号化部５，システム多重部６及び伝送路変換部７の処理を継続すると、異常な画像を表すＴＳデータが出力端子８から出力されることがある。
【００２６】
そこで、この実施の形態２では、制御部４は、形式判定部３により判別されたデジタルシリアル信号の形式の切替りを検知すると、映像符号化部５，システム多重部６及び伝送路変換部７の処理を一時的に停止させるようにする。
制御部４は、その後所定時間が経過して、映像受信部２の動作が安定すると、映像符号化部５，システム多重部６及び伝送路変換部７の処理を再開させるようにする。
この際、制御部４は、新たな形式に対応する符号化方式，多重化方式及び伝送方式を選択し、その符号化方式，多重化方式及び伝送方式を映像符号化部５，システム多重部６及び伝送路変換部７に通知する。
【００２７】
以上で明らかなように、この実施の形態２によれば、形式判定部３により判別されたデジタルシリアル信号の形式の切替りを検知すると、映像符号化部５，システム多重部６及び伝送路変換部７の処理を一時的に停止させたのち、映像符号化部５，システム多重部６及び伝送路変換部７の処理を再開させるように構成したので、デジタルシリアル信号の形式の切替直後に、異常な画像を表すＴＳデータが出力端子８から出力される事態を回避することができる効果を奏する。
【００２８】
実施の形態３．
図２はこの発明の実施の形態３による画像符号化伝送装置を示す構成図であり、図において、図１と同一符号は同一または相当部分を示すので説明を省略する。
映像受信バッファ１１は映像受信部２から出力された映像データと音声データを格納する。
制御部１２は図１の制御部４と同様に、形式判定部３により判別された形式に対応する符号化方式，多重化方式及び伝送方式を選択する選択手段を構成している。また、制御部１２は形式判定部３により判別された形式の切替りを検知すると、映像受信部２における映像受信バッファ１１に対する映像データと音声データの格納処理を一時的に停止させたのち、その映像受信部２の格納処理を再開させる。
【００２９】
クロック生成部１３は映像受信部２により受信された映像信号に同期しているクロックを生成して、そのクロックを映像受信バッファ１１，映像符号化部５，システム多重部６及び伝送路変換部７に供給するクロック生成手段であり、クロック生成部１３は形式判定部３により判別された形式の切替りを検知すると、その形式が切替る直前に生成したクロックと同じ周波数のクロックを一時的に継続して供給する。
【００３０】
図３はこの発明の実施の形態３による画像符号化伝送装置のクロック生成部１３を示す構成図であり、図において、ＰＬＬ回路２１，２２は映像受信部２により受信された映像信号に対する周波数の追従処理（例えば、内部発振回路が出力するクロックと、映像受信部２により受信された映像信号との位相を比較し、両者の位相が一致するように、そのクロックの位相を調整して出力する）を実施して、その映像信号に同期しているクロックを生成する。
【００３１】
ＳＥＬ２３はＰＬＬ回路２１，２２により生成されたクロックのうち、例えば、ＰＬＬ回路２１により生成されたクロックを選択してＰＬＬ回路２４に出力しているとき、形式判定部３により判別された形式の切替りを検知すると、ＰＬＬ回路２１における周波数の追従処理を停止させて、追従処理の停止直前のクロックを継続的にＰＬＬ回路２４に出力し、その後、映像受信部２の動作が安定すると、ＰＬＬ回路２２により生成されたクロックを選択してＰＬＬ回路２４に出力する。
ＰＬＬ回路２４はＳＥＬ２３から出力されたクロックに対する周波数の追従処理を実施して、そのクロックに同期しているクロックを生成し、そのクロックを映像受信バッファ１１，映像符号化部５，システム多重部６及び伝送路変換部７に供給する。
【００３２】
次に動作について説明する。
まず、外部装置からＨＤＴＶ又はＳＤＴＶのデジタルシリアル信号が映像入力端子１に供給されると、映像受信部２が上記実施の形態１と同様に、映像入力端子１から入力されたＨＤＴＶ又はＳＤＴＶのデジタルシリアル信号を受信する。
映像受信部２は、そのＨＤＴＶ又はＳＤＴＶのデジタルシリアル信号を形式判定部３に出力する一方、そのデジタルシリアル信号に含まれている映像データ及び音声データとクロックを分離し、その映像データ及び音声データを映像受信バッファ１１に格納する。また、そのクロックをクロック生成部１３に出力する。
【００３３】
形式判定部３は、映像受信部２からＨＤＴＶ又はＳＤＴＶのデジタルシリアル信号を受けると、上記実施の形態１と同様にして、そのデジタルシリアル信号を監視し、そのデジタルシリアル信号の形式を判別するとともに、そのデジタルシリアル信号のフィールド周波数を特定する。
制御部１２は、形式判定部３がデジタルシリアル信号の形式とフィールド周波数を特定すると、上記実施の形態１の制御部４と同様にして、そのデジタルシリアル信号の形式とフィールド周波数に応じて符号化方式を選択する。また、そのデジタルシリアル信号の形式に応じて多重化方式と伝送方式を選択する。
【００３４】
映像符号化部５は、クロック生成部１３からクロックを受けると（詳細は後述する）、そのクロックに同期して、ＭＰＥＧ−２（ＩＳＯ／ＩＥＣ１３８１８−２）規格に従った符号化処理を開始する。
即ち、映像符号化部５は、制御部１２により選択された符号化方式で、映像受信バッファ１１に格納されている映像データと音声データを符号化し、その符号化データをシステム多重部６に出力する。
【００３５】
システム多重部６は、クロック生成部１３からクロックを受けると、そのクロックに同期して多重化処理を開始する。
即ち、システム多重部６は、制御部１２により選択された多重化方式で、映像符号化部５から出力された符号化データをＴＳ化して、そのＴＳデータを伝送路変換部７に出力する。
【００３６】
伝送路変換部７は、クロック生成部１３からクロックを受けると、そのクロックに同期してＴＳデータの伝送処理を開始する。
即ち、伝送路変換部７は、制御部４により選択された伝送方式で、システム多重部６から出力されたＴＳデータを出力端子８に出力して、そのＴＳデータを外部出力する。
【００３７】
ここで、デジタルシリアル信号の形式の切替直後は、上述したように、映像受信部２の動作が安定しないため、切替直後においても、映像符号化部５，システム多重部６及び伝送路変換部７の処理を継続すると、異常な画像を表すＴＳデータが出力端子８から出力されることがある。
そこで、この実施の形態３では、異常な画像を表すＴＳデータが出力端子８から出力されることを防止するため、形式が切替えられてから、映像受信部２の動作が安定化するまでの間、切替直前のＴＳデータを継続的に出力端子８から出力して、フリーズ画像が表示されるようにする。
【００３８】
具体的には、制御部１２は、形式判定部３により判別された形式の切替りを検知すると、以後、映像受信部２により受信された映像信号に含まれている映像データ及び音声データを映像受信バッファ１１に格納する処理を一時的に停止させる。
また、制御部１２は、形式が切替る前の選択結果を継続して映像符号化部５，システム多重部６及び伝送路変換部７に通知する。
【００３９】
これにより、映像符号化部５は、形式が切替る前と同じ符号化方式で、形式が切替る前と同じ映像データと音声データを符号化し、その符号化データをシステム多重部６に出力する。
システム多重部６は、形式が切替る前と同じ多重化方式で、映像符号化部５から出力された符号化データをＴＳ化して、そのＴＳデータを伝送路変換部７に出力する。
伝送路変換部７は、形式が切替る前と同じ伝送方式で、システム多重部６から出力されたＴＳデータを出力端子８に出力して、そのＴＳデータを外部出力する。
【００４０】
ただし、映像符号化部５，システム多重部６及び伝送路変換部７に供給されるクロックの周波数が形式の切替前後で異なると、形式の切替前後で異なるＴＳデータが出力されてしまうので、クロック生成部１３は、形式判定部３により判別された形式の切替りを検知すると、その形式が切替る直前に生成したクロックと同じ周波数のクロックを一時的に継続して供給する。
【００４１】
具体的には、クロック生成部１３のＰＬＬ回路２１，２２は、映像受信部２により受信された映像信号に対する周波数の追従処理を実施して、その映像信号に同期しているクロックを生成するが、例えば、ＳＥＬ２３がＰＬＬ回路２１により生成されたクロックを選択してＰＬＬ回路２４に出力しているとき、形式判定部３により判別された形式の切替りを検知すると、ＰＬＬ回路２１における周波数の追従処理を停止させて、追従処理の停止直前のクロックを継続的にＰＬＬ回路２４に出力するようにする。
これにより、クロック生成部１３のＰＬＬ回路２４は、形式が切替る前と同じ周波数のクロックに対する周波数の追従処理を実施して、そのクロックに同期しているクロックを生成し、そのクロックを映像受信バッファ１１，映像符号化部５，システム多重部６及び伝送路変換部７に供給する。
【００４２】
クロック生成部１３のＳＥＬ２３は、その後、映像受信部２の動作が安定すると、ＰＬＬ回路２２により生成されたクロックを選択してＰＬＬ回路２４に出力する。
これにより、クロック生成部１３のＰＬＬ回路２４からは、形式が切替り後の映像信号に同期したクロックが映像受信バッファ１１，映像符号化部５，システム多重部６及び伝送路変換部７に供給されることになる。
【００４３】
なお、制御部１２は、映像受信部２の動作が安定すると、映像受信バッファ１１に格納されている映像データと音声データをリセットしたのち、映像受信部２における映像データと音声データの格納処理を再開させて、形式判定部３により新たに特定されたデジタルシリアル信号の形式とフィールド周波数に応じて符号化方式，多重化方式及び伝送方式を選択して、その選択結果を映像符号化部５，システム多重部６及び伝送路変換部７に通知する。
【００４４】
以上で明らかなように、この実施の形態３によれば、形式判定部３により判別された形式の切替りを検知すると、映像受信部２における映像受信バッファ１１に対する映像データ及び音声データの格納処理を一時的に停止させたのち、その映像受信部２の格納処理を再開させるように構成したので、デジタルシリアル信号の形式の切替直後に、異常な画像を表すＴＳデータが出力端子８から出力される事態を回避することができる効果を奏する。
【００４５】
また、この実施の形態３によれば、映像受信部２により受信された映像信号に同期しているクロックを生成して、そのクロックを映像受信バッファ１１，映像符号化部５，システム多重部６及び伝送路変換部７に供給するクロック生成部１３を設け、そのクロック生成部１３が形式判定部３により判別された形式の切替りを検知すると、その形式が切替る直前に生成したクロックと同じ周波数のクロックを一時的に継続して供給するように構成したので、形式の切替前後で異なるＴＳデータが出力される事態を回避することができる効果を奏する。
【図面の簡単な説明】
【００４６】
【図１】この発明の実施の形態１による画像符号化伝送装置を示す構成図である。
【図２】この発明の実施の形態３による画像符号化伝送装置を示す構成図である。
【図３】この発明の実施の形態３による画像符号化伝送装置のクロック生成部を示す構成図である。
【符号の説明】
【００４７】
１  映像入力端子、２  映像受信部（映像信号受信手段）、３  形式判定部（形式判別手段）、４  制御部（選択手段）、５  映像符号化部（映像符号化手段）、６  システム多重部（伝送手段）、７  伝送路変換部（伝送手段）、８  出力端子、１１  映像受信バッファ、１２  制御部（選択手段）、１３  クロック生成部（クロック生成手段）、２１  ＰＬＬ回路、２２  ＰＬＬ回路、２３  ＳＥＬ、２４  ＰＬＬ回路。
【図１】
2005204054.tif 000003
【図２】
2005204054.tif 000004
【図３】
2005204054.tif 000005